(57)【要約】第１周波数範囲内の少なくとも１つの周波数で動作することのできる第１アンテナ素子と；第２周波数範囲内の少なくとも１つの周波数で動作することのできる第２アンテナ素子と；第１電気経路を介して第１アンテナ素子に電気的に接続されると共に第２電気経路を介して第２アンテナ素子に電気的に接続されたＲＦ回路であって、第１及び第２電気経路がそれらがＲＦ回路に接続するところで共通である、ＲＦ回路と；第１周波数範囲内の周波数は通し、第２周波数範囲内の周波数は通さないように構成された、第１電気経路内の、第１周波数依存フィルタ装置と；第１電気経路内の、第１タップ付きインダクタを有する、第１インピーダンス・レベル変換装置と；第２周波数範囲内の周波数は通し、第１周波数範囲内の周波数は通さないように構成された、第２電気経路内の、第２周波数依存フィルタ装置と；を含む装置。【選択図】図１
2010510706.tif 000002
【特許請求の範囲】
【請求項１】
第１周波数範囲内の少なくとも１つの周波数で動作することのできる第１アンテナ素子と；
第２周波数範囲内の少なくとも１つの周波数で動作することのできる第２アンテナ素子と；
第１電気経路を介して前記第１アンテナ素子に電気的に接続されると共に第２電気経路を介して前記第２アンテナ素子に電気的に接続されたＲＦ回路であって、前記第１及び第２電気経路はそれらが前記ＲＦ回路に接続するところで共通である、ＲＦ回路と；
前記第１周波数範囲内の周波数は通し、前記第２周波数範囲内の周波数は通さないように構成された、前記第１電気経路内の、第１周波数依存フィルタ装置と；
前記第１電気経路内の、第１タップ付きインダクタを有する、第１インピーダンス・レベル変換装置と；
前記第２周波数範囲内の周波数は通し、前記第１周波数範囲内の周波数は通さないように構成された、前記第２電気経路内の、第２周波数依存フィルタ装置と；
を含む装置。
【請求項２】
前記第１タップ付きインダクタは、前記第１アンテナ素子の動作帯域幅を増大させるために、前記第１電気経路内で、第１並列共振構造と共有される、請求項１に記載の装置。
【請求項３】
前記第１周波数依存フィルタ装置と前記第１並列共振構造とは少なくとも１つのリアクティブ・コンポーネントを共有する、請求項２に記載の装置。
【請求項４】
前記第１タップ付きインダクタのタップは前記第１又は第２アンテナ素子に接続される、請求項１ないし３のうちのいずれか１つに記載の装置。
【請求項５】
前記第１タップ付きインダクタのタップは前記第１周波数依存フィルタ装置のリアクティブ・コンポーネントに接続される、請求項１ないし３のうちのいずれか１つに記載の装置。
【請求項６】
前記第１周波数依存フィルタ装置は、前記共通電気経路に直列に接続されたリアクティブ・コンポーネントを含む、請求項１ないし５のうちのいずれか１つに記載の装置。
【請求項７】
前記第２電気経路内に、第２タップ付きインダクタを有する第２インピーダンス・レベル変換装置を更に含む、請求項１ないし６のうちのいずれか１つに記載の装置。
【請求項８】
前記第２タップ付きインダクタは、前記第２アンテナ素子の動作帯域幅を増大させるために、前記第１電気経路内で、第２並列共振構造と共有される、請求項７に記載の装置。
【請求項９】
前記第２周波数依存フィルタ装置と前記第２並列共振構造とは少なくとも１つのリアクティブ・コンポーネントを共有する、請求項８に記載の装置。
【請求項１０】
前記第２タップ付きインダクタのタップは前記第２アンテナ素子に接続される、請求項７ないし９のうちのいずれか１つに記載の装置。
【請求項１１】
前記第２タップ付きインダクタのタップは前記第２周波数依存フィルタ装置のリアクティブ・コンポーネントに接続される、請求項７ないし９のうちのいずれか１つに記載の装置。
【請求項１２】
前記第２周波数依存フィルタ装置は、前記共通電気経路に直列に接続されたリアクティブ・コンポーネントを含む、請求項１ないし１１のうちのいずれか１つに記載の装置。
【請求項１３】
第１素子と；
第２素子と；
第１電気経路を介して前記第１素子に電気的に接続されると共に第２電気経路を介して前記第２素子に電気的に接続された回路であって、前記第１及び第２電気経路はそれらが前記回路に接続するところで共通である、回路と；
第１周波数範囲内の周波数は通し、第２周波数範囲内の周波数は通さないように構成された、前記第１電気経路内の、第１周波数依存フィルタ装置と；
前記第１電気経路内の、第１タップ付きインダクタを有する、第１インピーダンス・レベル変換装置と；
前記第２周波数範囲内の周波数は通し、前記第１周波数範囲内の周波数は通さないように構成された、前記第２電気経路内の、第２周波数依存フィルタ装置と；
を含む装置。
【請求項１４】
先行するいずれかの請求項に記載の装置を含むモジュール。
【請求項１５】
請求項１ないし１３のうちのいずれか１つに記載の装置を含む携帯電子装置。
【請求項１６】
アンテナ素子との電気的接続のための第１部分と；
ＲＦ回路との電気的接続のための第２部分と；
前記第１部分に接続されたタップ付き並列共振構造と；
前記第２部分に接続された周波数依存フィルタ装置と、
を含む装置。
【請求項１７】
前記アンテナ素子の動作帯域幅を増大させるために前記並列共振構造を確定すると共に前記周波数依存フィルタ装置を確定する複数のリアクティブ・コンポーネントを含む、請求項１６に記載の装置。
【請求項１８】
前記動作帯域幅はＵＳ−ＧＳＭ及び／又はＥ−ＧＳＭ周波数帯域を含む、請求項１７に記載の装置。
【請求項１９】
前記動作帯域幅は８２４ないし９６０ＭＨｚを含むが１７１０ないし２１８０ＭＨｚを含まない、請求項１７又は１８に記載の装置。
【請求項２０】
前記動作帯域幅はＰＣＮ／ＤＣＳ１８００及び／又はＵＳ−ＷＣＤＭＡ／ＰＣＳ１９００及び／又はＷＣＤＭＡ２１００を含む、請求項１７に記載の装置。
【請求項２１】
前記動作帯域幅は１７１０ないし２１８０ＭＨｚを含むが８２４ないし９６０ＭＨｚを含まない、請求項１６又は１７に記載の装置。
【請求項２２】
前記並列共振構造はＬＣ並列回路を含む、請求項１６ないし２１のうちのいずれか１つに記載の装置。
【請求項２３】
前記並列共振構造はタップ付きインダクタを含む、請求項２２に記載の装置。
【請求項２４】
前記タップは前記第１部分に電気的に接続される、請求項２３に記載の装置。
【請求項２５】
前記タップは前記第２部分に電気的に接続される、請求項２３に記載の装置。
【請求項２６】
前記周波数依存フィルタ装置は、前記第２部分と直列に接続されたリアクティブ・コンポーネントを含む、請求項１６ないし２５のうちのいずれか１つに記載の装置。
【請求項２７】
前記リアクティブ・コンポーネントは、キャパシタ、インダクタ又は伝送線である、請求項２６に記載の装置。
【請求項２８】
前記周波数依存フィルタは、前記並列共振構造と少なくとも１つのリアクティブ・コンポーネントを共有する、請求項１６ないし２７のうちのいずれか１つに記載の装置。
【請求項２９】
前記共有されるリアクティブ・コンポーネントはキャパシタ又はインダクタである、請求項２８に記載の装置。
【請求項３０】
前記周波数依存フィルタは、前記並列共振構造と共有されない少なくとも１つのリアクティブ・コンポーネントを有する、請求項１６ないし２９のうちのいずれか１つに記載の装置。
【請求項３１】
前記リアクティブ・コンポーネントはキャパシタ、インダクタ又は伝送線である、請求項３０に記載の装置。
【請求項３２】
インピーダンス・レベル変換装置を含む、請求項１６ないし３１のうちのいずれか１つに記載の装置。
【請求項３３】
前記インピーダンス・レベル変換装置は、前記並列共振構造と共有されるコンポーネントにより提供される、請求項３２に記載の装置。
【請求項３４】
前記共有されるコンポーネントはタップ付きインダクタである、請求項３３に記載の装置。
【請求項３５】
第１周波数範囲内の少なくとも１つの周波数で動作することのできる第１アンテナ素子と；
第２周波数範囲内の少なくとも１つの周波数で動作することのできる第２アンテナ素子と；
第１電気経路を介して前記第１アンテナに電気的に接続されると共に第２電気経路を介して前記第２アンテナ素子に電気的に接続されたＲＦ回路であって、前記第１及び第２電気経路はそれらが前記ＲＦ回路に接続するところで共通である、ＲＦ回路と；
前記第１電気経路内の、請求項１６ないし３４のうちのいずれか１つに記載の装置であって、その周波数依存フィルタが前記第１周波数範囲内の周波数は通すと共に前記第２周波数範囲内の周波数は通さないように構成されている、装置と；
前記第２電気経路内の、請求項１６ないし３４のうちのいずれか１つに記載の装置であって、その周波数依存フィルタが前記第２周波数範囲内の周波数は通すと共に前記第１周波数範囲内の周波数は通さないように構成されている、装置と；
を含むシステム。
【発明の詳細な説明】
【技術分野】
【０００１】
本発明の実施形態は、２つのアンテナ素子が共通フィードを共有することを可能にする装置に関する。
【発明の背景】
【０００２】
電子通信装置のサイズを小さくするのが望ましいことがよくある。
【０００３】
モバイル・セルラ遠隔通信では、各々の無線周波数帯域のために別々の異なるアンテナ及びＲＦ回路を持つことが必要となることがある。マルチバンド動作に必要とされる回路の全体を単一の装置に納めるのは困難であるかもしれない。
【０００４】
従って、現在、コンポーネントの数を減らすことには相当の利益がある。
【０００５】
無線通信装置のコンポーネントの数を減らし、マルチバンド動作を達成することが望ましいであろう。
【発明の概要】
【０００６】
本発明の１つの実施形態に従って１つの装置が提供され、その装置は：第１周波数範囲内の少なくとも１つの周波数で動作することのできる第１アンテナ素子と；第２周波数範囲内の少なくとも１つの周波数で動作することのできる第２アンテナ素子と；第１電気経路を介して第１アンテナ素子に電気的に接続されると共に第２電気経路を介して第２アンテナ素子に電気的に接続されたＲＦ回路であって、第１及び第２電気経路はそれらがＲＦ回路に接続するところで共通である、ＲＦ回路と；第１周波数範囲内の周波数は通し、第２周波数範囲内の周波数は通さないように構成された、第１電気経路内の、第１周波数依存フィルタ装置と；第１電気経路内の、第１タップ付きインダクタを有する、第１インピーダンス・レベル変換装置と；第２周波数範囲内の周波数は通し、第１周波数範囲内の周波数は通さないように構成された、第２電気経路内の、第２周波数依存フィルタ装置と、を含む。
【０００７】
本発明の他の１つの実施形態に従って１つの装置が提供され、その装置は：第１素子と；第２素子と；第１電気経路を介して第１素子に電気的に接続されると共に第２電気経路を介して第２素子に電気的に接続された回路であって、第１及び第２電気経路はそれらが回路に接続するところで共通である、回路と；第１周波数範囲内の周波数は通し、第２周波数範囲内の周波数は通さないように構成された、第１電気経路内の、第１周波数依存フィルタ装置と；第１電気経路内の、第１タップ付きインダクタを有する、第１インピーダンス・レベル変換装置と；第２周波数範囲内の周波数は通し、第１周波数範囲内の周波数は通さないように構成された、第２電気経路内の、第２周波数依存フィルタ装置と、を含む。
【０００８】
本発明のさらなる実施形態に従って１つの装置が提供され、その装置は：アンテナ素子との電気的接続のための第１部分と；ＲＦ回路との電気的接続のための第２部分と；第１部分に接続されたタップ付き並列共振構造と；第２部分に接続された周波数依存フィルタ装置と、を含む。
【０００９】
この装置は、ＲＦ回路が、異なる帯域で動作する２つの異なるアンテナに単一の共有されるフィードを介して接続されることを可能にする。これは、各アンテナのために別々のＲＦ回路とフィードとを使用するのに比べてコンポーネントを節約する。
【００１０】
該装置は、各帯域のために別々のアンテナを使用するのではなくてアンテナが数個の周波数帯域で通信するために使用され得るようにアンテナ素子の動作帯域幅を増大させることを可能にする。或る実施形態はマルチ・ローバンド（ｍｕｌｔｉ−ｌｏｗ−ｂａｎｄ）アンテナ及び／又はマルチ・ハイバンド（ｍｕｌｔｉ−ｈｉｇｈ−ｂａｎｄ）アンテナを有することができる。
【００１１】
該装置は、非５０オーム・アンテナ素子のインピーダンスを共有されるフィードに整合させることを可能にする。
【００１２】
本発明のより良い理解のために、次に単に例として添付図面が参照される。
【図面の簡単な説明】
【００１３】
【図１】無線周波数システム又は装置を概略的に示す。
【図２Ａ】ハイバンド帯域幅適応・周波数依存フィルタ回路のための種々の代替実施形態を示す。
【図２Ｂ】ローバンド帯域幅適応・周波数依存フィルタ回路のための種々の実施形態を示す。
【図３Ａ】ハイバンド帯域幅適応・周波数依存フィルタ回路のための種々の代替実施形態を示す。
【図３Ｂ】ローバンド帯域幅適応・周波数依存フィルタ回路のための種々の実施形態を示す。
【図４Ａ】ハイバンド帯域幅適応・周波数依存フィルタ回路のための種々の代替実施形態を示す。
【図４Ｂ】ローバンド帯域幅適応・周波数依存フィルタ回路のための種々の実施形態を示す。
【図５】インピーダンス・レベル変換装置２３を示す。
【発明の実施形態の詳細な説明】
【００１４】
図１は無線周波数システム又は装置１０を概略的に示し、これは：第１アンテナ素子２と；第２アンテナ素子４と；ＲＦ回路６と；ローバンド帯域幅適応・周波数依存フィルタ回路２０と；ハイバンド帯域幅適応・周波数依存フィルタ回路２０とを含む。
【００１５】
システム又は装置１０は、例えば、モバイル・セルラ電話機、モバイル・セルラ遠隔通信システムのベース・ステーション、無線通信装置、携帯用電子装置など、又は、それらのいずれかに用いるためのモジュールであり得る。
【００１６】
この例において第１アンテナ素子２は、１ＧＨｚ程度のローバンド周波数範囲の周波数で動作可能である。
【００１７】
第１アンテナ素子２は、ローバンド周波数範囲の中の第１周波数でＲＬＣ直列共振する。第１アンテナの"本来の（ｎａｔｉｖｅ）"特性は、例えば付加的な共振を導入することによって該アンテナの動作帯域幅を広げるなどのように、回路２０によって要求仕様に適応せしめられる。このようにして、ローバンド周波数範囲は１つ以上のセルラ無線周波数帯域を含むことができて、アンテナ素子２をマルチ・ローバンド（ｍｕｌｔｉ−ｌｏｗ−ｂａｎｄ）対応とすることができる。可能なローバンドセルラ無線周波数帯域は、ＵＳ−ＧＳＭ８５０（８２４−８９４ＭＨｚ）及びＥＧＳＭ９００（８８０−９６０ＭＨｚ）を含む。この事例では、第１周波数は１ＧＨｚ程度であり得る。
【００１８】
この例では第２アンテナ素子４は、上記ローバンド周波数範囲とは重なり合わない２ＧＨｚ程度のハイバンド周波数範囲の周波数で動作可能である。
【００１９】
第２アンテナ素子４は、ハイバンド周波数範囲の中の第２周波数でＲＬＣ直列共振する。第２アンテナの"本来の"特性は、例えば付加的な共振を導入することによってアンテナの動作帯域幅を広げるなどのように、回路３０により要求仕様に適応せしめられる。このようにして、ハイバンド周波数範囲は１つ以上のセルラ無線周波数帯域を含むことができて、第２アンテナ素子４をマルチ・ハイバンド（ｍｕｌｔｉ−ｈｉｇｈ−ｂａｎｄ）対応とする。可能なハイバンド・セルラ無線周波数帯域はＰＣＮ／ＤＣＳ１８００（１７１０−１８８０ＭＨｚ）；ＵＳ−ＷＣＤＭＡ１９００又はＰＣＳ１９００（１８５０−１９９０ＭＨｚ）；ＷＣＤＭＡ２１０００（Ｔｘ：１９２０−１９８０ＭＨｚ、Ｒｘ：２１１０−２１８０ＭＨｚ）を含む。この事例では第２周波数は２ＧＨｚ程度であり得る。
【００２０】
アンテナ２，４は、モノポール・アンテナ、ダイポール・アンテナ、ループ・アンテナ、プレーナ・インバーテッドＬ型アンテナ（ＰＩＬＡ）、プレーナ・インバーテッドＦ型アンテナ（ＰＩＦＡ）のような任意の適切なアンテナ又はアンテナの組み合わせであり得る。
【００２１】
回路２０，３０におけるインピーダンス・レベル変換装置２３（以下で記載される）の使用は、低インピーダンスＰＩＬＡのような非５０オーム・アンテナの使用を可能にする。
【００２２】
ＲＦ回路６は、実装に応じてレシーバとして、トランスミッタとして、あるいはトランシーバとして動作することができる。それは、無線周波数信号をより低い周波数の信号に変換する回路を含むと共に、しばしば、情報を取り出すためにその低周波数信号を処理するための回路をも含む。
【００２３】
ＲＦ回路６は、回路２０を通過する第１電気経路３を介して第１アンテナ素子２に電気的に接続されると共に、回路３０を通過する第２電気経路５を介して第２アンテナ素子に電気的に接続されている。
【００２４】
第１電気経路３と第２電気経路５とは、これらが共通フィード７においてＲＦ回路に接続するところで共通である。
【００２５】
図示されている例では、ＲＦ回路６はトランシーバである。それは、第１アンテナ素子２によって送信されるけれども第２アンテナ素子４によっては送信されないローバンド周波数範囲の無線信号を送信する。ＲＦ回路６は、ローバンド周波数範囲の中の複数の異なる帯域を用いて送信する能力を持つことができる。それは、第２アンテナ素子４からではなくて第１アンテナ素子２からローバンド周波数範囲の無線信号を受け取る。ＲＦ回路６は、ローバンド周波数範囲の中の複数の異なる帯域で受信する能力を持つことができる。
【００２６】
このトランシーバは、また、第２アンテナ素子４によって送信されるけれども第１アンテナ素子２によっては送信されないハイバンド周波数範囲の無線信号を送信する。ＲＦ回路６は、ハイバンド周波数範囲の中の複数の異なる帯域を用いて送信する能力を持つことができる。それは、第１アンテナ素子２からではなくて第２アンテナ素子４からハイバンド周波数範囲の無線信号を受信する。ＲＦ回路６は、ハイバンド周波数範囲の中の複数の異なる帯域で受信する能力を持つことができる。
【００２７】
図２Ａ，３Ａ及び４Ａは、ハイバンド帯域幅適応・周波数依存フィルタ回路３０のための種々の代替実施形態を示す。示されている図において、ハイバンド回路３０は、ハイバンド並列共振構造３１とハイバンド周波数依存フィルタ装置３２とを確定するリアクティブ・コンポーネントの回路構成を含む。
【００２８】
図２Ｂ，３Ｂ及び４Ｂは、ローバンド帯域幅適応・周波数依存フィルタ回路２０のための種々の代替実施形態を示す。示されている図において、ローバンド回路２０は、ローバンド並列共振構造２１とローバンド周波数依存フィルタ装置２２とを確定するリアクティブ・コンポーネントの回路構成を含む。
【００２９】
特定のローバンド帯域幅適応・周波数依存回路２０は、通例、対応するハイバンド帯域幅・周波数依存回路３０と対にされ、それらは同時に使用される。例えば、図２Ａ及び２Ｂの回路２０，３０が対にされることができ、図３Ａ及び３Ｂの回路２０，３０が対にされることができ、図４Ａ及び４Ｂの回路２０，３０が対にされることができる。
【００３０】
回路２０，３０の"対"のハイバンド周波数依存フィルタ装置３２とローバンド周波数依存フィルタ装置２２とはダイプレクサ（diplexer）を形成する。ハイバンド周波数依存フィルタ装置３２とローバンド周波数依存フィルタ装置２２とは実際上並列である。従って、一方の構成は他方の動作に影響を及ぼし、この相互依存性は、特定のインピーダンス及び周波数応答のダイプレクサを設計する時に考慮に入れられるべきである。
【００３１】
図２，３，４は、低インピーダンス・アンテナ素子２，４に、トランシーバ回路６の５０オーム・フィード７に接続するように構成されたインピーダンス・レベル変換装置２３も示し、すなわち、それは該アンテナ素子の入力インピーダンスを増大させるように構成されている。アンテナ素子が５０オームのレベルのインピーダンスを有する他の実施形態では、インピーダンス・レベル変換装置２３は不要であって、無くても良い。アンテナ素子がより高いインピーダンスのものである他の実施形態では、インピーダンス・レベル変換装置は、アンテナ素子の入力インピーダンスを減少させるために変更され得る（図５に示されているように）。
【００３２】
帯域幅適応・周波数依存フィルタ回路２０，３０の各実施形態は、アンテナ素子との電気的接続のための第１部分５０と、ＲＦ回路６との共通フィード７を介しての電気的接続のための第２部分５１とを有するリアクティブ・コンポーネントの回路構成を含む。
【００３３】
並列共振回路２１，３１は、第１部分５０に電気的に接続されている。
【００３４】
それは、アンテナ素子が効率よく動作できる周波数範囲を増大させる。すなわち、該並列共振回路は、例えば付加的な共振を導入することによってアンテナ素子の動作帯域幅を増大させる。該帯域幅は、挿入損失ｓ１１が６ｄＢより大きい領域として定義され得る。
【００３５】
並列共振回路２１，３１は、共振ＬＣ回路を形成するために電気的並列に接続された誘導性コンポーネント１２と容量性コンポーネント１４とを含む。誘導性コンポーネント１２と容量性コンポーネントとの値は、並列共振回路２１，３１が取り付けられているアンテナ素子の本来の共振周波数の領域の中の共振周波数を該並列共振回路が有するように、選択される。
【００３６】
並列共振回路２１，３１は、アンテナ素子をマルチバンド・アンテナに変換する。
【００３７】
周波数依存フィルタ装置２２，３２は、第２部分５１に電気的に接続されている。
【００３８】
周波数依存フィルタは、許容する周波数範囲の周波数を通すと共に、遮断する周波数範囲の周波数を通さないように構成されている。
【００３９】
周波数依存フィルタの入力インピーダンスは周波数依存性である。それは、通過させる周波数範囲については低く（５０オームのレベル）、その周波数範囲においてはアンテナ素子とＲＦ回路６との間で効率的なエネルギー伝達が行われる。それは、遮断する周波数範囲については高く（＞＞５０オーム）、その周波数範囲においてはアンテナ素子とＲＦ回路６との間での効率的エネルギー伝達は妨げられる。
【００４０】
ローバンド周波数依存フィルタ２１については、通過させる周波数範囲はローバンド周波数範囲に対応し、遮断する周波数範囲はハイバンド周波数範囲に対応する。ハイバンド周波数依存フィルタ３１については、通過させる周波数範囲はハイバンド周波数範囲に対応し、遮断する周波数範囲はローバンド周波数範囲に対応する。
【００４１】
図２Ａ及び２Ｂの実施形態では、周波数依存フィルタ装置３２，２２は、並列共振回路２１と第２部分５１との間に直列に接続された四分の一波長５０オーム伝送線である。伝送線１５の四分の一波長共振モードに対応する共振周波数で、該伝送線は非常に大きな入力インピーダンスを有する。しかし、その共振周波数の分数調波の調波では、該入力インピーダンスはかなり低い。従って、四分の一波長伝送線２２は、その共振周波数が遮断する周波数範囲に対応するように、選択される。
【００４２】
図２Ｂの例では、ローバンド周波数依存フィルタ２２は、遮断する周波数範囲すなわち２ＧＨｚの四分の一波長に対応する長さを有する５０オーム伝送線１５である。
【００４３】
図２Ａの例では、ハイバンド周波数依存フィルタ３２は、遮断する周波数範囲すなわち１ＧＨｚの四分の一波長に対応する長さを有する５０オーム伝送線１５である。
【００４４】
伝送線１５は、分散型ＬＣ回路（もし損失性であればＲＬＣ回路）としてモデル化され得る。従って、伝送線は同時に容量性でありかつ誘導性でもあるコンポーネントである。
【００４５】
図３Ａ及び３Ｂの実施形態では、伝送線１５により提供される分散型ＬＣ回路は、個別的な誘導性コンポーネント（インダクタ１６）と個別的な容量性コンポーネント（キャパシタ１８）とを含む周波数依存フィルタ３２により取って代わられている。
【００４６】
図３Ｂの例では、ローバンド周波数依存フィルタ２２は、ノード５３（並列共振回路に接続されている）と第２部分５１との間に直列に接続されたインダクタ１６と、ノード５３とグランドとの間に接続されたキャパシタ１８とを含む。キャパシタ１８は、ハイバンドの遮断する周波数範囲のためにグランドへの経路を提供する。
【００４７】
図３Ａの例では、ローバンド周波数依存フィルタ３２は、並列共振回路３１に接続されたノード５３と第２部分５１との間に直列に接続されたキャパシタ１８と、ノード５３とグランドとの間に接続されたインダクタ１６とを含む。インダクタ１６は、遮断するローバンド周波数範囲のためにグランドへの経路を提供する。
【００４８】
図４Ｂの例では、図３Ｂに示されているキャパシタ１４及び１８は組み合わされて単一コンポーネント・キャパシタ１４とされている。従って、図４Ｂにおいて、キャパシタ１４は共有されるコンポーネントであって、周波数依存フィルタ２２と並列共振回路２１との両方により使用される。キャパシタのこのような組み合わせは、回路２０の次数を引き下げる。
【００４９】
図４Ａの例では、図３Ａに示されているインダクタ１２及び１６は組み合わされて単一のコンポーネント、すなわちインダクタ１２、とされている。従って、図４Ａでは、インダクタ１２は共有されるコンポーネントであって、周波数依存フィルタ３２と並列共振回路３１との両方により使用される。インダクタのこのような組み合わせは回路２０の次数を引き下げる。
【００５０】
ローバンド回路２０の実施形態とハイバンド回路３０の実施形態との各々においてリアクティブ・コンポーネントが第２部分５１に直列接続されていることが注目されるべきである。該リアクティブ・コンポーネントは、図示されている例において伝送線、キャパシタ或いはインダクタであり得る。
【００５１】
ある実施形態では、ローバンド回路及び／又はハイバンド回路はインピーダンス・レベル変換装置２３を含むことができる。これは、非５０オーム・インピーダンス・アンテナ２，４を共通フィード７に整合させるために使用される。
【００５２】
インピーダンス・レベル変換は、或る実施形態では、ｎ：ｍ変圧器（図示されていない）を用いて達成され得る。
【００５３】
他の実施形態では、それは、インピーダンス・レベル変換装置２３と並列共振回路２１とでコンポーネントを共有することにより達成される。例えば、並列共振回路２１，３１に、特にそのインダクタ１２に、タッピングすることによって。
【００５４】
図２，３，４に示されている例では、ローバンド回路２０及びハイバンド回路３０はＰＩＬＡのようなそれぞれの低インピーダンス・アンテナ２，４に接続するように構成されている。アンテナ素子に接続する第１部分５１は、インダクタ１２の中央タップに接続される。
【００５５】
アンテナが高インピーダンス・アンテナであるならば、インダクタ上のタップがアンテナ素子に電気的に接続される代わりに、それは、図５に示されているように第２部分５１を介してＲＦ回路６に電気的に接続される。
【００５６】
本発明の実施形態は前の段落で種々の例と関連して記述されたけれども、与えられた例に対する改変が請求項に記載された発明の範囲から逸脱せずに行われ得ることが認識されるべきである。
【００５７】
この明細書においては本発明の特に重要と思われる特徴に注意を引こうと努めたけれども、上で言及され且つ／又は図面に示された特許性のある特徴または特徴の組み合わせに関して、それが特に強調されたか否かに関わらず、出願人が保護を要求することが理解されるべきである。
【図１】
2010510706.tif 000003
【図２Ａ】
2010510706.tif 000004
【図２Ｂ】
2010510706.tif 000005
【図３Ａ】
2010510706.tif 000006
【図３Ｂ】
2010510706.tif 000007
【図４Ａ】
2010510706.tif 000008
【図４Ｂ】
2010510706.tif 000009
【図５】
2010510706.tif 000010
【国際調査報告】
2010510706.tif 000011
2010510706.tif 000012
2010510706.tif 000013
2010510706.tif 000014
2010510706.tif 000015
2010510706.tif 000016
2010510706.tif 000017
2010510706.tif 000018